(57)【要約】【課題】低い表示負荷で光出力を増大させることを可能にし、かつ有利に維持電源の最大出力負荷を超えないマトリックス表示装置およびそれに関連する方法を提供すること。【解決手段】本発明は、サブフィールドアドレシング（１４）を使いかつ装置（１０）の表示負荷を決定することを有し、かつ更に当該表示負荷が閾値の下にあるとの決定（１６）に応答して画像の表示に使用可能なサブフィールドの数を動的に変化させ、かつ表示信号の少なくとも最下位ビットに対して部分的な行倍増および／またはディザリング（２２，２４）を都合よく使っているるステップを含む、このような装置からの光出力を制御するマトリックス表示装置（１０）およびそれに関連する方法を提供する。【選択図】図１
2004516513.tif 000002
【特許請求の範囲】
【請求項１】
複数の発光素子と、前記発光素子のサブフィールドアドレッシングを行うように構成されている駆動手段とを有するマトリックス表示装置において、前記装置の表示負荷を決定する決定手段と、当該表示負荷が閾値の下にあるとの決定に応じて画像の表示に使用可能なサブフィールドの数を動的に変化させる制御手段とを有することを特徴とする、マトリックス表示装置。
【請求項２】
− 前記駆動手段が、サブフィールドコンバータと、前記サブフィールドコンバータに結合されているマトリックス表示駆動手段とを有し；
− 前記サブフィールドコンバータおよび前記決定手段の両者が、入って来るビデオ信号を受信していて；
− 前記決定手段が、前記制御手段に前記表示負荷についての情報を提供する手段を有し；
− 前記制御手段が、前記画像を表示するために使用可能なサブフィールドの前記数を動的に変化させる前記サブフィールドコンバータに結合されていて；かつ
− 前記マトリックス表示駆動手段が、前記発光素子に結合されている、
請求項１に記載の装置。
【請求項３】
前記表示負荷に関する情報を受信する前記制御手段に結合されていて、かつ前記マトリックス表示駆動手段に結合されていて、当該表示負荷が閾値の下であるとの決定に応じて部分的な行倍増を適用するマトリックス表示駆動手段に結合されている、部分的な行倍増を適用する手段を有する、請求項２に記載の装置。
【請求項４】
前記表示負荷に関する情報を受信する前記制御手段に結合されていて、かつ当該表示負荷が、閾値の下にあるとの決定に応じてディザリングを適用する前記マトリックス表示駆動手段に結合されている、ディザリングを適用する手段を有する、請求項２に記載の装置。
【請求項５】
前記当該表示負荷が閾値の下にあるとの決定に応じて、部分的な行倍増を適用する手段を含む、請求項１に記載の装置。
【請求項６】
前記当該表示負荷が閾値の下にあるとの決定に応じて、ディザリングを適用する手段を含む、請求項１に記載の装置。
【請求項７】
決定手段が、前記表示負荷を連続的にモニタするプロセッサ手段を有する、請求項１に記載の装置。
【請求項８】
前記制御手段が、関係式 Ｓ／Ｌ ＝ Ｓ０ ｘ Ｌ０ に従って作動するように構成されていて、
Ｓ０およびＬ０が、維持パルスの最大数と、最大表示負荷が発生するさいの最大輝度で、かつ、
ＳおよびＬが、前記表示負荷が前記閾値の下にあると決定されるときの、維持パルスおよび輝度の数である、請求項１に記載の装置。
【請求項９】
維持パルスの前記最大数より低い数を有する前記維持パルスから結果的に得られるアイドル状態の時間が、前記維持パルスの後に位置する消去パルスの後に存在する、請求項８に記載の装置。
【請求項１０】
維持パルスの前記最大数より低い数を有している前記維持パルスから結果的に得られるアイドル状態の時間が、サブフィールドの前記維持パルスの第一部分および第二部分の間に存在する、請求項８に記載の装置。
【請求項１１】
複製されたサブフィールドが存在しかつ前記アイドル状態の時間が、同じウェイトを有するサブフィールド間に分割されている、請求項１０に記載の装置。
【請求項１２】
前記制御手段が、関係式 Ｌｘ（Ｄ＋Ｃ）＝Ｌ０ｘ（Ｄ０＋Ｃ） に従って作動するように構成されていて、
ＬおよびＬ０が、表示負荷が前記閾値の下にある時点と、最大表示負荷での輝度値を表し、
Ｃが、０．０７のオーダの定数で、かつ
ＤおよびＤ０が、表示負荷が前記閾値の下にある時点と、最大表示負荷時の表示負荷値を表す、請求項１に記載の装置。
【請求項１３】
サブフィールドの前記数が、サブフィールドの前記数の増大前に、サブフィールドの前記数に減少する前記表示負荷に比較して、前記表示負荷のより高い値でサブフィールドの前記数を増大させることにより、前記制御手段が、ヒステリシスを導入するように構成されている、請求項１に記載の装置。
【請求項１４】
サブフィールドアドレシングを採用するマトリックス表示装置からの光出力を制御し、かつ前記装置の前記表示負荷の決定を有する方法において、
当該表示負荷が閾値の下にあるとの決定に応じて、画像の表示に使用可能なサブフィールドの前記数を動的に変化させる前記ステップを有することを特徴とする、方法。
【請求項１５】
ビデオ信号を受信し、かつ前記信号により決定された画像を表示するように前記信号を処理するように、構成されている表示機器であって、
前記画像が、前記機器の範囲内で表示負荷を決定し、かつ
前記機器が、前記表示負荷に関する電源を受信する手段を有し、かつさらに請求項１に記載のマトリックス表示装置を有する、表示機器。
【発明の詳細な説明】
【０００１】
【発明が属する技術分野】
本発明は、マトリックス表示装置、およびサブフィールドアドレシングを使用するこのような装置からの光出力を制御しかつこの装置の表示負荷の決定を有する関連する方法に関する。
【０００２】
【従来の技術】
このような装置および方法は、例えば、ＷＯ−Ａ−９９／３０３０９から公知であるが、光生成のレベルは制限されていて、かつ（特に、低い表示負荷での）光出力およびパワー仕様は理想的なものからかけ離れている。低い表示負荷で使用可能な灰色のレベルの数が、制限されていることも、問題である。
【０００３】
【課題を解決するための手段】
本発明は、公知のものに比較して効果を有するマトリックス表示装置およびそれに関連する方法を提供する。特に、本発明は、低い表示負荷で増大させた光出力を得ることを可能にし、かつ有利に維持電源の最大出力負荷を超えないマトリックス表示装置およびそれに関連する方法を提供する。
【０００４】
本発明の一態様では、前記装置の表示負荷を決定する決定手段と、当該表示負荷が閾値の下にあるとの決定に応じて画像の表示に使用可能なサブフィールドの数を動的に変化させる制御手段とを有することを特徴とする、上で規定された型のマトリックス表示装置が提供される。
【０００５】
本発明の別の態様によると、閾値の下となるように決定されている当該表示負荷に応答する画像の表示に使用可能なサブフィールドの数を動的に変化させることのステップにより特徴づけられる、上に規定された型の方法が提供される。
【０００６】
本発明は、表示負荷の動的モニタリングにより、表示負荷が閾値の下まで減少すると、サブフィールドの数を、低減させることができる点で特に有利である。これは、１フィールド内の総走査周期（アドレス周期としても知られている）を低減させ、かつ低い表示負荷でさえ明るさを向上させた表示が提供されるように、維持周期に使用可能な時間を対応させて増加させることを可能にする。さらなる特定の利点は、維持パルスの数を、維持された電源からその最大値の近くにまで表示が必要とするパワーを維持するために適切な数まで、この態様で、増大させることができる点である。
【０００７】
請求項２および３の特長は、本発明のサブフィールドの数を減少させることが可能で、必要な数の灰色レベルを保持することに有利であることが判明した種々の本発明の態様に関する。
【０００８】
請求項４に規定される特長は、表示負荷を動的に決定する、特に効率的かつ実効的な手段に関し、かつ請求項５および６の特長は、選択されたサブフィールドの数の決定に関する、動的作用の特に有利な特長を規定する。
【０００９】
請求項７に規定される特長は、サブフィールドの数が変化する値のまわりで表示負荷が変化するとき、ちらつきのようなアーチファクトを低減させるヒステリシスを提供する。
【００１０】
請求項９、１０および１１に規定される特長は、装置を正しく作動させることができる電圧マージンの改善を提供する。
【００１１】
これらのそして他の本発明の態様は、以下に記載される実施例を参照して、明らかになるであろう。
【００１２】
【発明を実施するための形態】
図１は、マトリックス表示の範囲内で見い出される複数の発光素子を含む表示装置を有し、更に、カラービデオ信号を発光素子に供給する関連する駆動手段も含む表示機器の一実施例を示す線図的なダイアグラムである。
【００１３】
図２は、サブフィールドの数が変化するときに導入されるヒステリシスを説明するグラフである。
【００１４】
より詳しくは、図１は、サブフィールドコンバータ１４と表示負荷決定手段１６とに供給されるカラービデオ信号１２を受信するように構成されているマトリックス表示装置１０を示す。表示負荷決定手段１６は、マトリックス表示装置１０のスクリーンに画像を表示するさいに生じるであろう表示負荷を確立するために、入って来るビデオ信号１２をモニタしかつ分析する。サブフィールドコンバータ１４は、サブフィールドタイミングスキームを入って来るビデオ信号１２に課して、信号を複数のサブフィールドに分割し、表示画像における必要な輝度を達成する機能を有する。
【００１５】
表示負荷決定手段１６は、制御信号をサブフィールドコンバータ１４と部分的な行倍増（ｐａｒｔｉａｌ ｌｉｎｅ ｄｏｕｂｌｉｎｇ）／ディザリング適用手段２０とに順番に供給するように構成されている制御手段１８に、信号を供給する。制御手段１８は、決定手段１６により決定される表示負荷を基に、サブフィールドコンバータ１４と部分的な行倍増／ディザリング適用手段２０とに、当該制御信号を供給するように構成されている。表示負荷が、閾値の下にあるように決定されると、制御手段１８は、その制御信号をサブフィールドコンバータ１４と部分的な行倍増／ディザリング適用手段２０とに供給するように構成される。当該制御信号を受けると、サブフィールドコンバータ１４は、サブフィールドの低減させられた数で入って来るビデオ信号１２を再生するように制御され、一方、部分的な行倍増／ディザリング適用手段２０は、サブフィールドコンバータ１４から低減させられたサブフィールド信号を受信するマトリックス表示駆動手段２２によって部分的な行倍増および／またはディザリングを適用するように構成されている。駆動手段２２から出力された部分的に行倍増されおよび／またはディザリングされた信号２４は、次いで、マトリックス表示２６の発光素子に供給される。
【００１６】
図１は、さらに、表示装置１０と電源１０４を有する表示機器１０２を示す。
【００１７】
本発明の動作を、以下に、詳細に、議論する。
【００１８】
本発明の概念の範囲内で、維持電源の最大出力負荷を超えずに、低い表示負荷で光出力を増大させる方法が提案されている。
【００１９】
それらのオンタイムが乗算されているターンオンされたマトリックス表示のセルの数に比例する最大表示負荷が、Ｄ０により与えられ、かつＳ０維持パルスで、かつＬ０の輝度で発生することが、以下に、詳細に、示される。実際の表示負荷ＤがＤ０より大きい場合、サブフィールドＮ０の最大数が使用され、かつ（後に議論されるように）部分的な行倍増もディザリングも適用されない。必要に応じ、最大負荷Ｄ０は、輝度Ｌが、式Ｓ／Ｌ＝Ｓ０／Ｌ０を満足し、かつ維持パワーから引き抜かれるパワーが最大値に制限されるように、維持パルスＳの数を減少させることにより制限される。しかしながら、実際の表示負荷ＤがＤ０より小さい場合、好ましくは維持電源から引き抜かれるパワーをその最大値の近くに保持するために適切な量まで、維持パルスの数を増大させることができるように、使用されるサブフィールドの数を低減させることによって、アドレス時間を、本発明に従って、低減させる。
【００２０】
両方ともの最下位ビットに対するまたはディザリングを使用することにより部分的な行倍増またはこれらの組合せを使用することにより、使用可能な灰色のレベルの数を都合よく保持しつつ、サブフィールドの数を下げることが出来る。
【００２１】
他のマトリックス表示に対しては、多重フレーム表面アドレシングを、アドレシング時間を減少させるために使用することが出来る。すなわち、隣接する行のセットにアドレッシングされている表示行を有するサブフィールド被駆動マトリックス表示装置に、連続する画像フレームを表示する方法を採用することが出来る。ここで、元の輝度値データを有する画像フレームまたはフィールドは、一群の最上位のサブフィールドと一群の最下位のサブフィールドを有するサブフィールド内で符号化される。共通輝度値は、行のセットの内の１セットの行に供給され、かつ隣接する行のセットにおけるアドレシングは、連続するフレームまたはフィールド、表示装置の異なる領域および／または異なるサブフィールドに対して、異なって実行される。
【００２２】
このようにして、行のセットにおける隣接する行のグループ化が、各連続するフレームに対しかつ表示装置の異なる領域に対し実行される。例えば、奇数フレームにおいては、行を、表示の上半分では３により、かつ下半分では２により、グループ化させ、かつ逆に、偶数フレームにおいては、画像解像度を損なわずににかつ動きアーチファクトを生成させずにアドレス周期またはアドレシング時間を低減させるように機能させることが出来る。これは、維持周期に対しより多くの時間を残すことができる。一つ以上のサブフィールドに対する共通輝度値は、これにより、１セットの行の全ての行に同時にアドレッシングされる。表示の連続するフレームおよび／または異なる領域において行を異なってグループ化することにより、解像度の損失なしに、アドレス周期における有利なさらなる減少を、得ることが出来る。
【００２３】
次の具体例は、さらに、本発明のこの態様を示す。まず、２５６の灰色レベルを得ることができるように、ＶＧＡ表示のサブフィールドＮｍａｘ ＝ ８サブフィールドの最大数と仮定する。
【００２４】
Ｐｌａｓｍａ Ｄｉｓｐｌａｙ Ｐａｎｅｌ（ＰＤＰ）をアドレッシングするために必要な総時間Ｔは、
Ｔ ＝ ＴＥ ＋ ＴＡ ＋ ＴＳ ＝ Ｅｘ（０．１ｍｓ） ＋ Ｎｘ（１．５４ｍｓ） ＋ Ｓｘ（２．７ｕｓ）
と表すことができる。ここで、ＴＥが消去時間を示し、ＴＡがアドレス時間を示し、かつＴＳが維持時間を示す。
【００２５】
例えば、ＰＤＰの場合、消費電力は、表示負荷Ｄに比例して増大し、かつ表示負荷Ｄは、オンタイムが乗算されたターンオンされたセルの数に比例する、０と１の間の相対数である。したがって、完全な白色画像に対しては、表示負荷は１で、完全な黒画像に対しては、値は０である。この具体例の場合、ＰＤＰにおいては維持パワーＰ０＝１５０Ｗしか使用出来ず、かつこれは、Ｓ０＝１０００維持パルスを使用して、Ｄ０＝０．２５の表示負荷で輝度Ｌ０＝２３５ ｃｄ／ｍ２を生成するには充分であると仮定されている。
【００２６】
表示負荷がＤ０より高い場合と表示負荷がＤ０より低い場合の、上記の２つの状況を、再び、考察する。表示負荷が高くなると、維持パルスの数は、Ｓ／Ｌ ＝ Ｓ０／Ｌ０のように低減する。これは、最大輝度が、Ｌ ｘ （Ｄ ＋ Ｃ） ＝ Ｌ０ ｘ （Ｄ０ ＋ Ｃ）に従って低減することを意味する。ここでＣは、通常、表示負荷におけるオフセットに関する０．０７の領域にある定数である。一行アドレシングを有する８つのサブフィールドが、通常通り使用されることは、もちろん理解されるべきである。表示負荷がより低い場合、ディザリングおよび／または部分的行倍増が、必要なアドレス時間の減少を援助するために使われる。したがって、これは、使用可能な維持時間と適用される維持パルスの数における増加を可能にするであろう。これは、低い表示負荷での高輝度を可能にする。Ｌ ｘ （Ｄ＋Ｃ） ＝ Ｌ０ ｘ （Ｄ０ ＋ Ｃ）に対する関係が成立していることは重要である。
【００２７】
必要な消去時間ＴＥは、１サブフィールドを消去するために必要な時間が乗算された、消去されるであろうサブフィールドＥの数に等しく、約０．１ｍｓ／サブフィールドである。現在のアドレス方式の場合、Ｅ＝１の値であるが、明確化のために、それをサブフィールドの数に等しくする、すなわち、Ｅ＝Ｎｍａｘとすることができる。
【００２８】
Ｎを使用されるサブフィールドの数とし、ｔＡを単一のサブフィールドをアドレシングするために必要な時間とし、必要なアドレス時間ＴＡ＝Ｎ×ｔＡとし、かつ以下の表１において、部分的な行倍増が適用されていると仮定されている。表１において、Ｎの値は５〜８の範囲にあり、かつ単一行アドレッシングにより単一フィールドをアドレッシングするためには、ｔＡの時間 ＝ ４８０行ｘ ３．２ｕｓ／行＝１．５４ｍｓの値が、必要である。表２は、計算された合計アドレス時間を示す。
【００２９】
必要な維持時間ＴＳは、適用される維持パルスＳに単一パルスイベントに必要な時間を乗算させた数、すなわち、２．７ｕｓに等しい。表２において、維持時間が、計算され、かつ５０Ｈｚ（２０ｍｓフィールド周期）と６０ＨｚのＰＤＰ動作（１６．６ｍｓフィールド周期）に対して示されている。
【００３０】
整数に対する結果しか、記載されていないことを理解すべきである。
【００３１】
表１  アドレス時間減少に必要なＭＳＢとＬＳＢの数
2004516513.tif 000003
【００３２】
表２  生成された維持パルスの数
2004516513.tif 000004
１０００個の維持パルスで、約２３５ ｃｄ／ｍ２以上の輝度を現在のプラズマ表示パネルにおいて生成させることができる。したがって、４２５９個のパルスで、１０００ｃｄ／ｍ２の輝度を、５０Ｈｚで期待することができる。３０００個のパルスで、７００ｃｄ／ｍ２の値は、６０Ｈｚで、現実的である。
【００３３】
この具体例の場合、ＰＤＰの明るさを６０Ｈｚの動作で７００ｃｄ／ｍ２まで（または５０Ｈｚで１０００ｃｄ／ｍ２さえ）増大させるために、本発明は、光生成に対する消費電力が、常に一定値（例えば、１５０Ｗ）に固定され、かつ２５６の灰色のレベルが、常に得られるように、高輝度の生成の間、都合よく部分的な行倍増および／またはディザリングを使う。表示負荷が低い場合、６つのＬＳＢは、部分的に倍増されおよび／またはディザリングが適用され、他方、表示負荷が高い場合、如何なる行も倍増されずおよび／またはディザリングが適用されない。
【００３４】
さらにこの具体例に対し、６つのサブフィールドが使用される場合、８ビットに近い等価画像を与えるために、ディザリングを使うことができる。このような場合、この方法は、画質の低下を回避するために、６つのサブフィールドに制限されるであろう。
【００３５】
さらに示されているように、一行倍増を有する３ＭＢＳｓと行倍増を有する３ＬＳＢｓを、８ビット等価画像を得るために都合よくディザリングさせることができる。
【００３６】
上述したことは、各最大光出力Ｌを、Ｄが変化するので、実現することが出来、かつ表示負荷を、マイクロプロセッサにより連続的に記録させることができることを示す。
【００３７】
上述のごとく、ＤがＤ０より大きく、かつサブフィールドの数を８とすると、維持パルスの数が、Ｓ／Ｌ ＝ Ｓ０／Ｌ０により計算され、かつその結果は、Ｓ０より小さい数Ｓとなり、かつ充分な維持時間が使用可能となろう。ＤがＤ０より小さい場合、維持パルスの数も、Ｓ／Ｌ ＝ Ｓ０／Ｌ０を使用して計算されるが、これは、部分的行倍増、かつ、例えば、より少ないサブフィールドが、使用される場合のみ、達成される。アドレス周期の実効的な数Ｎは、
【００３８】
Ｎ ＝ ［Ｔ−（ＴＥ ＋ ＴＳ）］／ｔＡ
により計算することができる。ここで、ＴＳ ＝ Ｓ ｘ ２．７ｕｓで、かつＴＥは、固定された数で、ｔＡは、約１．５４ｍｓであろう。Ｎが５より小さい場合、この数は５とされ、かつ維持パルスの対応する数が、上記の関係に基づいて決定されるであろう。５と８の間の数が得られると、表２に示される数が使用され、かつこれらの数を、例えば、ルックアップテーブルに格納させることができる。次いで、画像は、これらの数を使用して、表示されるであろう。
【００３９】
表示負荷が変化すると、ＳとＮに対する数が、それに対応して変化するか、または、セッティングを、フィルタを適用することにより遅延させることができる。反応時間は、電源に許される過負荷に依存する。
【００４０】
高表示負荷での維持パルスの数の減少は、発光素子が、いかなる駆動も受信していないアイドル状態の時間と言う結果になる。このアイドル状態の時間が、サブフィールドの維持パルスとこれらの維持パルスに続く消去パルスの間にある場合、アイドル状態の時間に依存するプライミング粒子の損失により、消去の間の放電が変動し、発光素子を正しく作動させることができる電圧マージンを減少させる結果が得られる。アイドル状態の時間を消去パルスの背後に置くことにより、問題を低減させることができるが、その場合、プライミングは、アイドル状態の時間により、まだ影響され、この場合にも、電圧マージンがいくらか減少すると言う結果になるであろう。
【００４１】
最高の解決法は、アイドル状態の時間をサブフィールドにおける維持パルスの第一部分と第二部分の間に位置決めし、これにより最後の維持パルスと、消去が開始する次の相との間のアイドル状態の時間を回避することである。
【００４２】
複製されたサブフィールドが使用される場合には、アイドル状態の時間は、同じウェイトを有する両方のサブフィールドに位置決めされるべきである。
【００４３】
アイドル状態の時間を、フレームの最後のサブフィールドに位置決めさせることもできるが、他の如何なるサブフィールドにも、または、多くのサブフィールドに渡って分割させることもできる。
【００４４】
サブフィールドの数を変化させる場合にヒステリシスを導入することにより、ちらつきのようなアーチファクトを低減させることができる。次に表示される画像の表示負荷Ｄが、サブフィールドＮの数が変化する値の回りで変化する場合、このようなちらつきが、発生する可能性がある。図２は、画像の表示負荷ＤがＤ８Ｈより上にある場合、適用されるサブフィールドＮの数は８であるヒステリシスである。次の画像がＤ８Ｌより低い表示負荷を有する場合、サブフィールドＮの数は７に低減されるであろう。次の画像がＤ８Ｈより高い表示負荷Ｄを有する場合、サブフィールドＮの数は、再び８に増大するであろう。
【００４５】
ヒステリシスに対する形成条件を、制御手段１８に組み込むことができる。上述のことから、サブフィールドＮの数の変化の後、次の画像は、サブフィールドＮの数が再び変化する前に少なくとも（Ｄ８Ｈ−Ｄ８Ｌ）の表示負荷の変化を有していなければならないと言う結論を導くことができる。（Ｄ８Ｈ−Ｄ８Ｌ）に対する典型値は、約０．０２である。
【００４６】
上述のことから、本発明が、ＶＧＡ表示に対し現在８であるサブフィールドの最大数で単一走査に都合よく関係していることは理解されるであろう。これは、明るさを低い値に制限するであろうが、高表示に対しては十分であろう。しかしながら、負荷が減少すると即座に、部分的な行倍増および／またはディザリングが適用される。これは、まだ８つのサブフィールド等価表示を与えるであろうが、アドレシング時間はより少ないであろう。したがって、維持時間を、増大させることができる。この場合、動きアーチファクトを、例えば、動き補償により除去しつつ、２５６の灰色のレベルを実現させることが常に可能である。
【００４７】
本発明が、Ｐｌａｓｍａ Ｄｉｓｐｌａｙ ＰａｎｅｌｓおよびＤｉｇｉｔａｌ Ｍｉｒｒｏｒ Ｄｅｖｉｃｅｓのような広範囲のマトリックス表示装置に適用できることは言うまでもない。
【００４８】
したがって、本発明は、表示負荷の低い値での改良された光出力を都合よく可能にする。上述のごとく、本発明は、他のマトリックス表示に加えて、特にＰＤＰに適している。
【００４９】
上述した実施例が、本発明を限定するのではなくむしろ例示し、かつ当業者が、添付の請求項の範囲から逸脱することなく多くの別の実施例を設計することが出来るであろうことに留意すべきである。請求項における、括弧の間に置かれたいかなる引用符号も請求項を制限するのものと解釈してはならない。「を有している」と言う語は、請求項に記載されている物以外の素子またはステップの存在を除外するものではない。素子の前の語「ａ」または「ａｎ」は、複数のこのような素子の存在を除外しない。本発明は、いくつかの異なった素子を有するハードウェアによって、かつ適切にプログラムされたコンピュータによって実行することができる。いくつかの手段を列挙している装置請求項において、これらの手段のいくつかは、ハードウェアの全く同一の構成により実現させることができる。ある手段が、相互に異なる従属請求項において規定されているという単なる事実は、これらの手段の組合せを有利に使用することができないことを示すことにはならない。
【図面の簡単な説明】
【図１】本発明のマトリックス表示装置を有する表示機器のダイアグラムである。
【図２】図１に示される表示機器におけるサブフィールドの数を変化させる場合に導入されるヒステリシスを解明するグラフである。
【符号の説明】
１０  表示装置
１２  ビデオ信号
１４  サブフィールドコンバータ
１６  決定手段
１８  制御手段
２０  部分的な行倍増／ディザリング適用手段
２２  駆動手段
２４  部分的に行倍増されおよび／またはディザリングされた信号
２６  マトリックス表示
１０２  表示機器
１０４  電源
【図１】
2004516513.tif 000005
【図２】
2004516513.tif 000006
【国際公開パンフレット】
2004516513.tif 000007
2004516513.tif 000008
2004516513.tif 000009
2004516513.tif 000010
2004516513.tif 000011
2004516513.tif 000012
2004516513.tif 000013
2004516513.tif 000014
2004516513.tif 000015
2004516513.tif 000016
2004516513.tif 000017
2004516513.tif 000018
2004516513.tif 000019
2004516513.tif 000020
2004516513.tif 000021
2004516513.tif 000022
2004516513.tif 000023
【国際公開パンフレット（コレクトバージョン）】
2004516513.tif 000024
2004516513.tif 000025
【国際調査報告】
2004516513.tif 000026
2004516513.tif 000027